(57)【要約】【課題】  本発明は、低侵襲であると共に、角層の物理的／化学的特性に対する影響を抑制しながら角層を採取することが可能な粘着性材料及び該粘着性材料を用いて角層を採取する角層採取方法を提供することを目的とする。【解決手段】  粘着性材料は、支持体上に水溶性樹脂を含有する層を有する。【選択図】  なし【特許請求の範囲】
【請求項１】
支持体上に水溶性樹脂を含有する層を有することを特徴とする粘着性材料。
【請求項２】
前記水溶性樹脂は、ポリビニルアルコールであることを特徴とする請求項１に記載の粘着性材料。
【請求項３】
前記支持体は、多孔質体であることを特徴とする請求項１又は２に記載の粘着性材料。
【請求項４】
請求項１乃至３のいずれか一項に記載の粘着性材料を用いて角層を採取することを特徴とする角層採取方法。
【発明の詳細な説明】
【技術分野】
【０００１】
本発明は、粘着性材料及び角層採取方法に関する。
【背景技術】
【０００２】
角層を採取するためには、従来から、バイオプシーが用いられているが、皮膚を切り出すため、侵襲的で被験者の負担が大きいという問題がある。
【０００３】
一方、低侵襲に角層を採取する方法として、テープストリッピング法が知られている（特許文献１参照）。ここで、テープストリッピング法とは、粘着性テープを生体に添付した後、剥がして生体の表層を回収する方法であり、粘着剤としては、天然ゴム、ポリイソブチレン、ポリブタジエン、シリコーンゴム、ポリイソプレン、スチレン−イソプレン−スチレンブロック共重合体等の合成ゴム、ポリプロピレン、ポリスチレン、アクリル酸エステル共重合体等の合成樹脂等が用いられている。なお、このような粘着性テープを用いて角層を採取すると、粘着性テープから角層を回収する際に、有機溶媒を用いて粘着剤を溶解させる必要がある。しかしながら、角層を構成する多くの成分は、脂溶性であるため、有機溶媒を用いると、角層の物理的／化学的特性（例えば、細胞間脂質の配向状態等）に影響を及ぼすという問題がある。
【特許文献１】特開２００２−３１８２３０号公報
【発明の開示】
【発明が解決しようとする課題】
【０００４】
本発明は、上記の従来技術が有する問題に鑑み、低侵襲であると共に、角層の物理的／化学的特性に対する影響を抑制しながら角層を採取することが可能な粘着性材料及び該粘着性材料を用いて角層を採取する角層採取方法を提供することを目的とする。
【課題を解決するための手段】
【０００５】
請求項１に記載の発明は、粘着性材料において、支持体上に水溶性樹脂を含有する層を有することを特徴とする。
【０００６】
請求項１に記載の発明によれば、支持体上に水溶性樹脂を含有する層を有するので、低侵襲であると共に、角層の物理的／化学的特性に対する影響を抑制しながら角層を採取することが可能な粘着性材料を提供することができる。
【０００７】
請求項２に記載の発明は、請求項１に記載の粘着性材料において、前記水溶性樹脂は、ポリビニルアルコールであることを特徴とする。
【０００８】
請求項２に記載の発明によれば、前記水溶性樹脂は、ポリビニルアルコールであるので、粘着性を向上させることができる。
【０００９】
請求項３に記載の発明は、請求項１又は２に記載の粘着性材料において、前記支持体は、多孔質体であることを特徴とする。
【００１０】
請求項３に記載の発明によれば、前記支持体は、多孔質体であるので、通気性を向上させることができる。
【００１１】
請求項４に記載の発明は、角層採取方法において、請求項１乃至３のいずれか一項に記載の粘着性材料を用いて角層を採取することを特徴とする。
【００１２】
請求項４に記載の発明によれば、請求項１乃至３のいずれか一項に記載の粘着性材料を用いて角層を採取するので、低侵襲であると共に、角層の物理的／化学的特性に対する影響を抑制しながら角層を採取することが可能な角層採取方法を提供することができる。
【発明の効果】
【００１３】
本発明によれば、低侵襲であると共に、角層の物理的／化学的特性に対する影響を抑制しながら角層を採取することが可能な粘着性材料及び該粘着性材料を用いて角層を採取する角層採取方法を提供することができる。
【発明を実施するための最良の形態】
【００１４】
次に、本発明を実施するための最良の形態を図面と共に説明する。
【００１５】
本発明の粘着性材料は、支持体上に水溶性樹脂を含有する層（以下、粘着層という）を有する。これにより、低侵襲であると共に、角層の物理的／化学的特性に対する影響を抑制しながら角層を採取することが可能な粘着性材料を得ることができる。
【００１６】
本発明において、水溶性樹脂は、粘着剤として作用するが、アニオン性樹脂、カチオン性樹脂、ノニオン性樹脂、両性樹脂等を用いることができる。これらは、単独又は二種以上を併用して用いることができる。
【００１７】
アニオン性樹脂の具体例としては、酢酸ビニル−クロトン酸共重合体、クロトン酸−酢酸ビニル−ネオデカン酸ビニル共重合体、クロトン酸−酢酸ビニル−プロピオン酸ビニル共重合体、酢酸ビニル−マレイン酸モノブチル−アクリル酸イソボロニル共重合体、アクリル酸オクチルアミド−アクリル酸エステル共重合体、Ｎ−ビニルピロリドン−アクリル酸エステル−（メタ）アクリル酸共重合体、（メタ）アクリル酸−（メタ）アクリル酸エステル共重合体であるアクリル樹脂アルカノールアミン液、アクリル酸エステル−メタクリル酸エステル−ジアセトンアクリルアミド−メタクリル酸共重合体、メチルビニルエーテル−マレイン酸モノアルキル共重合体等が挙げられる。
【００１８】
カチオン性樹脂の具体例としては、ヒドロキシエチルセルロースジメチルジアリルアンモニウムクロリド、塩化Ｏ−［２−ヒドロキシ−３−（トリメチルアンモニオ）プロピル］ヒドロキシエチルセルロース、Ｎ−ビニルピロリドン−メタクリル酸ジメチルアミノエチル共重合体、ビニルイミダゾリウムトリクロリド−Ｎ−ビニルピロリドン共重合体、Ｎ−ビニルピロリドン−メタクリル酸ジメチルアミノエチル共重合体、Ｎ−ビニルピロリドン−アクリル酸アミノアルキル−Ｎ−ビニルカプロラクタム共重合体、Ｎ−ビニルピロリドン−メタクリルアミドプロピルトリメチルアンモニウムクロリド共重合体、Ｎ−アルキルアクリルアミド−アクリル酸−Ｎ−（アルキルアミノ）アルキルアクリルアミド−ポリエチレングリコールメタクリレート共重合体、ポリ塩化ジメチルメチレンピペリジニウム液、ジメチルジアリルアンモニウムクロリド−アクリルアミド共重合体、カチオン化グアーガム等が挙げられる。
【００１９】
ノニオン性樹脂の具体例としては、ポリビニルアルコール、ポリ（Ｎ−ビニルピロリドン）、Ｎ−ビニルピロリドン−酢酸ビニル共重合体、Ｎ−ビニルピロリドン−酢酸ビニル−プロピオン酸ビニル共重合体、Ｎ−ビニルピロリドン−酢酸ビニル−アミノアルキルアクリレート共重合体、酢酸ビニル−Ｎ−ビニル−５−メチル−２−オキサゾリン共重合体、ヒドロキシエチルセルロース、ヒドロキシプロピルセルロース、ヒドロキシプロピルメチルセルロース、メチルセルロース、カルボキシメチルセルロース、カルボキシビニルポリマー、ポリビニルホルムアミド、ポリビニルアセトアミド等が挙げられる。
【００２０】
両性樹脂の具体例としては、アクリル酸オクチルアミド−アクリル酸ヒドロキシプロピル−メタクリル酸ブチルアミノエチル共重合体、Ｎ−メタクリロイルオキシエチル−Ｎ，Ｎ−ジメチルアンモニウム−α−Ｎ−メチルカルボキシベタイン−メタクリル酸エステル共重合体、アクリル酸−メタクリル酸−アクリル酸２−ヒドロキシプロピル−メタクリル酸ジメチルアミノエチル−メタクリル酸エチル−ジアセトンアクリルアミド−Ｎ−ビニルピロリドン共重合体及びそのアルカノールアミン液等が挙げられる。
【００２１】
中でも、水溶性樹脂は、ポリビニルアルコールであることが好ましい。これにより、粘着性を向上させることができる。
【００２２】
本発明において、粘着層は、水溶性樹脂の他に、粘着層の安定性、性質維持のため、角層の物理的／化学的特性に影響を及ぼさない添加剤であれば、含有してもよい。このような添加剤としては、紫外線吸収剤、紫外線散乱剤、顔料、染料等を用いることができる。
【００２３】
本発明において、支持体としては、紙、スフ、綿、布、不織布、ポリエステル樹脂、ウレタン樹脂、ポリエチレン、エチレン−酢酸ビニル共重合体、軟質ポリ塩化ビニル等の各種樹脂からなるフィルム、アルミニウム箔等を単独又は二種以上混合して用いることができるが、水に不溶で、繊維屑が発生しにくいものであることが好ましい。
【００２４】
また、支持体は、多孔質体であることが好ましい。これにより、粘着性材料の通気性を向上させることができる。なお、多孔質体の孔径は、水溶性樹脂を支持することができれば特に限定されないが、数十〜数百μｍであることが好ましい。このような支持体としては、ナイロンメッシュ等が挙げられる。
【００２５】
本発明の粘着性材料は、粘着層がシリコーン含浸紙等の剥離紙で被覆されていることが好ましい。これにより、埃等の付着を抑制し、粘着力を維持することができる。
【００２６】
本発明の粘着性材料は、支持体上に、少なくとも水溶性樹脂を水性溶媒に溶解又は分散させることにより得られる粘着層塗布液を塗布、乾燥することにより形成することができる。塗布方法は、特に限定されないが、ドクターブレード等のヘラを用いることができる。
【００２７】
水性溶媒は、水単独でもよいが、水と混和可能な溶媒を併用することもできる。混和可能な溶媒としては、メタノール、イソプロパノール、エチレングリコール等のアルコール、ジメチルホルムアミド、テトラヒドロフラン、メチルセロソルブ等のセロソルブ類、アセトン、メチルエチルケトン等の低級ケトン類等が挙げられる。
【００２８】
本発明の角層採取方法は、少なくとも、角層を採取する部位に本発明の粘着性材料を貼り付ける工程、貼り付けられた粘着性材料を剥がす工程、剥がされた粘着性材料の水溶性樹脂を水に溶解させる工程及び角層を回収する工程を有することが好ましい。
【００２９】
角層を採取する部位は、石鹸等を用いて予め洗浄することが好ましい。これにより、採取された角層中の不純物量を減少させることができる。また、水溶性樹脂の粘着性を向上させるために、角層を採取する部位を湿潤状態にすることが好ましい。なお、粘着性材料の支持体として、多孔質体等の水分を浸透することが可能な材料が用いられている場合は、支持体の側から水溶性樹脂に水分を供給することにより、角層を採取する部位を湿潤状態にすることができる。
【００３０】
さらに、粘着性材料を剥がす際には、水溶性樹脂は、乾燥状態であることが好ましい。このとき、粘着性材料の支持体として、多孔質体等の水分を浸透することが可能な材料が用いられている場合は、乾燥時間を減少させることができる。
【００３１】
なお、水溶性樹脂を溶解させる水は、角層の物理的／化学的特性に対する影響が少ないものを含有してもよい。
【００３２】
また、角層を回収する方法は、特に限定されないが、簡便であるため、ろ過が好ましい。なお、角層細胞の大きさは１００μｍ前後であるので、これより小さい孔径のメッシュを用いてろ過することにより、角層を回収することができる。ろ過した後は、水で数回洗浄し、乾燥することが好ましい。
【００３３】
なお、角層は、１０〜２０層あり、粘着性材料を剥がす際に、一層又は数層の角層が粘着性材料に付着する。このため、同様の操作を繰り返すことにより、角層の深さ方向の情報を得ることができる。
【００３４】
本発明の角層採取方法は、本発明の粘着性材料を用いて角層を採取するため、被検対象に対して低侵襲である。また、粘着性材料に付着した角層は、水溶性樹脂を水に溶解させる工程で、粘着性材料から脱離し、角層を回収する工程で、採取することができる。従来のテープストリッピング法では、有機溶媒を用いて角層を回収していたことから、角層を構成する成分の物理的／化学的特性に大きく影響を及ぼしていたが、本発明の角層採取方法では、水を用いて回収するため、角層を構成する成分に対する影響が少ない。したがって、角層の物理的／化学的特性に対する影響を抑制しながら、角層を採取することができる。このため、本発明の角層採取方法を用いて採取された角層は、従来のテープストリッピング法を用いて採取された角層よりも、より生理状態に近い状態を保持することができる。ここで、角層の物理的／化学的特性としては、細胞間脂質の配向状態及び組成、ケラチン等の蛋白質の状態及び組成、その他の角質細胞構成体（デスモソーム、細胞骨格等）の状態及び組成等が挙げられる。なお、細胞間脂質の配向状態は、Ｘ線回折法を用いて分析することができる。
【００３５】
また、本発明の角層採取方法を用いて採取された角層は、物理的／化学的特性が生理状態により近い形で保持されていることから、種々の分析方法を用いて、その特性を分析することができる。分析方法としては、Ｘ線回折法の他に、酵素抗体法を用いた検出法、ＤＮＡ分析等の一般的に用いられる生化学分析が挙げられる。
【実施例】
【００３６】
本実施例で用いられる部数は全て重量部であり、これらの実施例により本発明は限定されない。
（実施例１）
ポリビニルアルコール５０部、エタノール２４．９６部、水２４．９６部及び乳酸０．０１部からなる粘着層塗布液１を、孔径が１００μｍのナイロンメッシュ２に、３ｃｍ幅で塗布した（図１（ａ）参照）。次に、これを乾燥することにより、粘着層３を形成した（図１（ｂ）参照）。さらに、粘着層３の表面積が３ｃｍ×３ｃｍとなるようにナイロンメッシュ１を切断し、粘着性テープ４を作製した（図１（ｃ）参照）。
【００３７】
前腕伸側を石鹸で１回洗浄した後、水で濡らし、三箇所に粘着性テープ４を貼り付けた（図２参照）。この状態で１０分間放置して乾燥させた後、粘着性テープ４を剥がした。
【００３８】
角層が付着した粘着性テープを水に浸漬し、ポリビニルアルコールを溶解させた。次に、孔径が６０μｍのメッシュで角層をろ過した後、水で洗浄し、乾燥することにより、角層を採取した。
（比較例１）
マウスの皮膚を切り出し、公知のトリプシン処理により、角層を採取した。
（評価方法及び評価結果）
実施例１及び比較例１で得られた角層を、高エネルギー加速器研究機構放射光科学研究施設  Ｐｈｏｔｏｎ  Ｆａｃｔｏｒｙ，Ｓｔａｔｉｏｎ  ＢＬ１５Ａで、ＣｕＫα線を用いてＸ線回折すると、図３及び図４に示すようなＸ線回折スペクトルが得られた。マウスとヒトの差はあるものの、実施例１及び比較例１でほぼ同様の回折Ｘ線ピークが見られることから、本発明の角層採取方法は、細胞間脂質の配向状態に対する影響を抑制しながら角層を採取することができることがわかる。なお、一般的にヒトの角層の細胞間脂質のＸ線回折スペクトルは、マウスの角層と比較してブロードなピークを有することが知られている。
【図面の簡単な説明】
【００３９】
【図１】実施例１の粘着性テープの作製方法を示す図である。
【図２】実施例１の粘着性テープを貼り付ける方法を説明する図である。
【図３】実施例１及び比較例１の角層のＸ線回折スペクトルの一例を示す図である。
【図４】実施例１及び比較例１の角層のＸ線回折スペクトルの他の例を示す図である。
【符号の説明】
【００４０】
１    粘着層塗布液
２    ナイロンメッシュ
３    粘着層
４    粘着性テープ
【図１】
2007003413.tif 000002
【図２】
2007003413.tif 000003
【図３】
2007003413.tif 000004
【図４】
2007003413.tif 000005